(57)【要約】      （修正有）【課題】通信機能付き知能型ヘルメットを提供する。【解決手段】通信機能付き知能型ヘルメット１０は外層１２を含む。前記外層は１個のカバー２０と該カバーの下辺縁部に設けられる機能部２２とを含み、前記機能部は使用者の２つの耳の付近に位置する左部分２２１と右部分２２２を含み、前記機能部にはメインマイク３０、２個のスピーカー３１、３２、制御区域３３および充電コネクタ３４が設けられる。前記知能型ヘルメットはメイン制御モジュールと電源モジュールを更に含む。この通信機能付き知能型ヘルメットのスピーカーはカバー内に設けられ、カバー上には使用者の制御が可能な制御区域が設けられているので、使用者はブルートゥース（登録商標）イヤホンまたは有線イヤホンを用いる必要がなく、知能型ヘルメットを容易に制御し、サイクリングをするとき安全を確保することができる。【選択図】図１
0003209278.tif 000002
【実用新案登録請求の範囲】
【請求項１】
外層を含む通信機能付き知能型ヘルメットであって、
前記外層は１個のカバーと該カバーの下辺縁部に設けられる機能部とを含み、前記機能部は使用者の２つの耳の付近に位置する左部分と右部分を含み、前記機能部にはメインマイク、２個のスピーカー、制御区域および充電コネクタが更に形成され、前記２個のスピーカーはそれぞれ前記左部分と右部分に位置し、前記制御区域によって前記メインマイクと２個のスピーカーを制御し、
前記知能型ヘルメットはメイン制御モジュールと電源モジュールを更に含み、
前記メイン制御モジュールは、前記カバー内に設けられるとともに前記メインマイク、２個のスピーカーおよび制御区域に電気接続され、かつ使用者の携帯型端末と無線通信をする無線通信ユニットを含み、
前記電源モジュールは、前記充電コネクタおよび前記メイン制御モジュールと電気接続するように前記カバー内に設けられ、かつ前記メイン制御モジュールに給電をすることを特徴とする通信機能付き知能型ヘルメット。
【請求項２】
前記機能部は使用者の頭部の前部に位置する前部と使用者の頭部の後部に位置する後部とを含み、前記メインマイクと前記制御区域は前記前部に設けられ、前記充電コネクタは前記後部に設けられることを特徴とする請求項１に記載の通信機能付き知能型ヘルメット。
【請求項３】
前記制御区域はボリューム制御ボタンと開閉制御ボタンを含み、該開閉制御ボタンによりメイン制御モジュール中の一個または複数個の機能を開閉し、前記ボリューム制御ボタンにより前記スピーカーのボリュームを調節することを特徴とする請求項１に記載の通信機能付き知能型ヘルメット。
【請求項４】
前記ボリューム制御ボタンと開閉制御ボタンはいずれも、この設置表面から突出しているボタンであることを特徴とする請求項３に記載の通信機能付き知能型ヘルメット。
【請求項５】
前記ボリューム制御ボタンと開閉制御ボタンはいずれも、タッチ型ボタンであることを特徴とする請求項３に記載の通信機能付き知能型ヘルメット。
【請求項６】
前記スピーカーは前記カバーの下方に向くように当該カバー内に収納され、前記スピーカーの表面にはホコリ防止網が設けられ、該ホコリ防止網の高さは前記機能部の表面の高さと一致するか或いは前記機能部の表面の高さより低いことを特徴とする請求項１に記載の通信機能付き知能型ヘルメット。
【請求項７】
前記機能部は使用者の頭部の前部に位置する前部と使用者の頭部の後部に位置する後部とを含み、前記メインマイクは前記前部に設けられ、前記機能部は前記後部に設けられるサブマイクを更に含むことを特徴とする請求項１に記載の通信機能付き知能型ヘルメット。
【請求項８】
前記カバーは外表面を更に含み、前記機能部は使用者の頭部の前部に位置する前部を含み、前記メインマイクは前記前部に設けられ、前記通信機能付き知能型ヘルメットはサブマイクを更に含み、該サブマイクは前記外表面に設けられることを特徴とする請求項１に記載の通信機能付き知能型ヘルメット。
【請求項９】
前記メイン制御モジュールはノイズ抑制ユニットを更に含み、該ノイズ抑制ユニットにより前記メインマイクから収録された音声中のノイズを低減することを特徴とする請求項１、７または８に記載の通信機能付き知能型ヘルメット。
【考案の詳細な説明】
【技術分野】
【０００１】
本考案は、ヘルメットに関し、特に通信機能付き知能型ヘルメットに関するものである。
【背景技術】
【０００２】
自転車は常用する交通道具中の一種であり、現在、サイクリングは流行のスポーツになっている。サイクリングをするとき使用者に電話がかかってくると、ブルートゥースイヤホンによって電話にでるか或いは電話を直接持って電話にでることができるが、その利便性が良いとは言いにくい。そのとき周囲の状況をよく把握しにくいので、交通安全に影響を与えるおそれがある。また、サイクリングをするとき、ブルートゥースイヤホンまたは有線イヤホンなどによって携帯型端末内の音楽を聞く場合が多い。そのとき、周囲の状況を把握する使用者の聴感が鈍くなる。例えば後ろからくる車の音をよく認識することができないので、交通安全に影響を与えるおそれがある。
【考案の概要】
【考案が解決しようとする課題】
【０００３】
本考案の目的は、サイクリングをするとき安全な通信をすることができない問題を解決することにある。
【課題を解決するための手段】
【０００４】
前記課題を解決するため本考案は次の技術的事項を提供する。
本考案の通信機能付き知能型ヘルメットは外層を含む。前記外層は１個のカバーと該カバーの下辺縁部に設けられる機能部とを含み、前記機能部は使用者の２つの耳の付近に位置する左部分と右部分を含み、前記機能部にはメインマイク、２個のスピーカー、制御区域および充電コネクタが更に設けられ、前記２個のスピーカーはそれぞれ前記左部分と右部分に位置し、前記制御区域によって前記メインマイクと２個のスピーカーを制御する。前記知能型ヘルメットはメイン制御モジュールと電源モジュールを更に含む。前記メイン制御モジュールは、前記カバー内に設けられるとともに前記メインマイク、２個のスピーカーおよび制御区域に電気接続され、かつ使用者の携帯型端末と無線通信をする無線通信ユニットを含む。前記電源モジュールは、前記充電コネクタおよび前記メイン制御モジュールと電気接続するように前記カバー内に設けられ、かつ前記メイン制御モジュールに給電をする。
【考案の効果】
【０００５】
従来の技術と比較してみると、本考案の通信機能付き知能型ヘルメットにおいて、スピーカーはカバー内に設けられ、使用者がカバー上の制御区域によって通信機能付き知能型ヘルメットを制御することができるので、ブルートゥースイヤホンまたは有線イヤホンを用いる必要がなく、知能型ヘルメットを容易に制御し、サイクリングをするとき安全を確保することができる。
【０００６】
上述した部分において本考案の概要を説明してきたが、本考案の技術的事項を詳細に説明して当業者が本考案を実施することができる程度にし、かつ本考案の目的、特徴および考案の効果をより詳細に示すため、以下、好適な実施例と図面により本考案の技術的事項をより詳細に説明する。
【図面の簡単な説明】
【０００７】
【図１】本考案の実施例に係る通信機能付き知能型ヘルメットを示す平面図である。
【図２】本考案の実施例に係る通信機能付き知能型ヘルメットの構造を示すブロック図である。
【考案を実施するための形態】
【０００８】
以下、本考案の実施例に係る図面により本考案の実施例に係る技術的事項をより詳細に説明する。下記の実施例は本考案の一部分の実施例にしか過ぎないものであり、本考案のすべての実施例を代表するものではない。本技術分野の技術者は、本考案の要旨を逸脱しない範囲において設計の変更等をすることができ、かつこのような設計の変更等があっても本考案に含まれることは勿論である。
【０００９】
図１を参照すると、本考案の実施例に係るヘルメット１０は通信機能を具備しかつ１個の外層１２を含む。該外層１２は１個のカバー２０と該カバー２０の下辺縁部に設けられる機能部２２とを含む。カバー２０が一定の厚さを有していることにより、カバー２０の下辺縁部の機能部２２上に複数個の部品を設けることができる。前記機能部２２は使用者の２つの耳の付近に位置する左部分２２１と右部分２２２を含む。前記機能部２２には、メインマイク３０、左スピーカー３１、右スピーカー３２、制御区域３３および充電コネクタ３４が更に設けられている。前記２個のスピーカー３１、３２はそれぞれ、前記左部分２２１と右部分２２２に位置する。使用者は前記制御区域３３によって前記メインマイク３０と２個のスピーカー３１、３２をそれぞれ制御することができる。例えば、電源の開閉、スピーカーのボリューム、音楽のネクスト、音楽のプレビアスおよび音楽のファストフォワードなどを制御することができる。ヘルメット１０はカバー２０内に設けられるメイン制御モジュール５０と電源モジュール６０を更に含む。
【００１０】
左スピーカー３１と右スピーカー３２がそれぞれ左部分２２１と右部分２２２に位置していることにより、使用者はあらゆる種類のイヤホンを使わなくてもヘルメット１０から音声を聞くことができる。２個のスピーカー３１、３２はヘルメット１０に設けられており、使用者の耳に挿入されないので、使用者の聴感が鈍くなるおそれがない。すなわち、使用者が２個のスピーカー３１、３２からの音声を聞くとき、外部からの音声も聞くことができるので、サイクリングの安全に影響を与えない。
【００１１】
好ましくは、前記２個のスピーカー３１、３２はいずれもカバー２０の下方に向くように前記カバー２０内に収納され、スピーカーの音声は前記カバー２０の下方に伝送される。前記スピーカーの表面にはホコリ防止網２０１が設けられている。前記ホコリ防止網２０１の高さは前記機能部２２の表面２２０の高さと一致するか或いは前記機能部２２の表面２２０の高さより低い。ヘルメット１０を製造するとき、スピーカーがヘルメット１０の内部に取り付けられるので、ヘルメット１０を解体しなければ、スピーカーを取り出すことができない。前記スピーカーの高さは前記表面２２０の高さと一致するか或いは前記表面２２０の高さより低いので、スピーカーの存在を見つけにくく、ヘルメットの外観と使用上の触感に影響を与えない。
【００１２】
前記機能部２２にはメインマイク３０が更に設けられている。本考案において、メインマイク３０の位置を限定せず、使用者の声を収録できる位置であればどこであってもよい。前記機能部２２が使用者の頭部の前部に位置する前部２２３と使用者の頭部の後部に位置する後部２２４とを含む場合、前記メインマイク３０を前記前部２２３に設けることが好ましい。これにより、メインマイク３０と使用者の口部との間の距離を減少させることができる。
【００１３】
本考案の他の実施例において、前記機能部２２はメインマイク３０の位置と異なる位置に設けられるサブマイク（図示せず）を更に含むことができる。この場合、前記メインマイク３０を前記前部２２３に設け、前記サブマイクを前記後部２２４に設けることができる。メインマイクとサブマイクの位置が異なることにより、異なっている音声を収録することができる。使用者が通話をするとき、２個のマイクが収録した音声は異なっており、使用者の音声が多い音声を残し、周囲の環境からのノイズが多い音声を除去することにより、ノイズを減少させ、収録された使用者の音声の品質を向上させ、騒がしい環境において電話を快適にすることができる。
【００１４】
他の実施例において、前記カバー２０は外表面２０３を更に含み、前記サブマイクをカバー２０の外表面２０３に設けることができる。そのノイズの抑制方法は前記実施例と同様であるので、ここでは説明を省略する。
【００１５】
本考案において、前記制御区域３３が機能部２２上に設けられる位置を限定せず、使用者の操作が可能な位置であればどこであってもよい。好ましくは、前記制御区域３３を前記前部２２３に設け、使用者が視野の範囲内でこれを操作するようにする。
【００１６】
具体的に、前記制御区域３３はボリューム制御ボタン３３１と開閉制御ボタン３３２を含み、該開閉制御ボタン３３２によりメイン制御モジュール５０の一個または複数個の機能、例えば無線通信ユニット５０１、スピーカー、ヘルメット１０中の警告用ランプ（図示せず）などを開閉することができる。前記ボリューム制御ボタン３３１により前記スピーカー３１、３２のボリュームを調節することができる。前記ボリューム制御ボタン３３１は、例えば「＋」で示されるボリューム上げ用ボタン３３１０と、「−」で示されるボリューム下げ用ボタン３３１１とを含むことができる。しかしながら、この２つのボタンの機能はボリュームの加減にのみ限定されるものではない。例えば、ボリューム上げ用ボタン３３１０によって「音楽のネクスト」を更に実現し、ボリューム下げ用ボタン３３１１によって「音楽のプレビアス」を更に実現し、ボリューム上げ用ボタン３３１０を長く押すことにより「音楽のファストフォワード」を更に実現することができる。
【００１７】
本実施例において、前記制御区域３３のボリューム制御ボタン３３１と開閉制御ボタン３３２はいずれも、設置表面から突出しているか或いは設置表面（の高さ）と一致するように設けられる物理ボタンである。これにより使用者はこれらを感知し、容易に制御することができる。他の実施例において、制御区域３３としてタッチパネルを採用することができる。前記ボリューム制御ボタン３３１と開閉制御ボタン３３２がタッチ型ボタンであることにより、これらの耐用性を向上させることができる。
【００１８】
前記充電コネクタ３４を機能部２２上のいずれかの位置に設けることができ、電源との接続が可能な位置であればどこであってもよい。充電の利便性を向上させるため、前記充電コネクタ３４を前記後部２２４に設けることができる。電量の不足によって無線通信ユニット５０１を起動させられない場合、警告用ランプ（図示せず）の点滅によって電力の不足を指摘することができる。このとき、前記充電コネクタ３４から充電をすることにより、ヘルメットの適当な作動を確保することができる。
【００１９】
図２を参照すると、メイン制御モジュール５０は、カバー２０内に設けられ、かつ前記機能部２２上の複数個の部品、例えば、メインマイク３０、２個のスピーカー３１および３２、制御区域３３に電気接続される。前記メイン制御モジュール５０は使用者の携帯型端末１００と無線通信をする無線通信ユニット５０１を更に含むことができる。メイン制御モジュール５０により２個のスピーカー３１および３２、メインマイク３０、無線通信ユニット５０１を制御することができる。例えば、メイン制御モジュール５０を起動させるとき、無線通信ユニット５０１は起動し、前記ヘルメット１０は適当な通信プロトコルによって所定の端末と接続を形成する。すなわち、使用者の携帯型端末１００と接続を形成する。本実施例において、無線通信ユニット５０１はブルートゥースモジュールであり、使用者の携帯型端末１００（例えばスマートフォン）と接続を形成するとき、無線通信ユニット５０１は携帯型端末１００からの音声信号を受信することができる。このとき、メイン制御モジュール５０は２個のスピーカー３１および３２によって受信した音声信号を放送することができる。前記携帯型端末１００に電話がかかってくるとき、無線通信ユニット５０１は無線通信ユニット５０１によってこの電話を検出し、かつ２個のスピーカー３１および３２によってベルを鳴らすことができる。このとき、使用者は制御区域３３中の所定のボタン、例えば開閉制御ボタンをクリックすることにより電話にで、かつメイン制御モジュール５０がメインマイク３０を起動させることにより通話をすることができる。
【００２０】
無線通信ユニット５０１は、ブルートゥースモジュールにのみ限定されるものでなく、他の無線モジュール、例えば、ZigBee、赤外線型無線モジュールであることができる。
【００２１】
電源モジュール６０は、前記カバー２０内に設けられ、かつ前記充電コネクタ３４とメイン制御モジュール５０に電気接続される。前記電源モジュール６０は前記メイン制御モジュール５０に給電をする。
【００２２】
ヘルメットが１個のメインマイク３０のみを含むとき、メイン制御モジュール５０にノイズ抑制ユニットを設けることによりノイズを抑制することができる。ヘルメット上にサブマイクが設けられているときも、前記ノイズ抑制ユニットを設けることができる。
【００２３】
使用者が本考案の知能型ヘルメットを使用するとき、スイッチをいれて無線通信ユニットを起動させることにより、知能型ヘルメットと携帯型端末との間の接続を形成する。このとき、知能型ヘルメットは携帯型端末の外部の装置になる。知能型ヘルメット内に設けられる前記スピーカーは使用者の耳に近づいているが、使用者の耳に挿入されないので、使用者が周囲の音声を感知する聴感に影響を与えない、また、使用者は制御区域によって知能型ヘルメットの通信機能を制御することができるので、サイクリングをしながら音楽、放送を聞くか或いは電話にでることができる。すなわち、本考案の知能型ヘルメットにより、サイクリングをしながら通信を容易にし、かつサイクリングの安全を確保することができる。
【００２４】
以上、上述した実施例により本考案の技術的事項を詳述してきたが、上述した実施例は本考案の例示にしか過ぎないものであるため、本考案は前記実施例の構成にのみ限定されるものではない。本考案の技術分野の技術者は、本考案の要旨を逸脱しない範囲において、設計の変更等をすることができ、かつこのような設計の変更等があっても本考案に含まれることは勿論である。また、各実施例に複数の構成が含まれている場合には、特に記載がなくともこれらの構成の可能な組合せが含まれることは勿論である。
【符号の説明】
【００２５】
１０  ヘルメット
１２  外層
２０  カバー
２０１  ホコリ防止網
２０３  外表面
２２  機能部
２２０  表面
２２１  左部分
２２２  右部分
２２３  前部
２２４  後部
３０  メインマイク
３１  左スピーカー
３２  右スピーカー
３３  制御区域
３３１  ボリューム制御ボタン
３３１０  ボリューム上げ用ボタン
３３１１  ボリューム下げ用ボタン
３３２  開閉制御ボタン
３４  充電コネクタ
５０  メイン制御モジュール
５０１  無線通信ユニット
６０  電源モジュール
１００  携帯型端末
【図１】
0003209278.tif 000003
【図２】
0003209278.tif 000004